(57)【要約】      （修正有）【課題】携帯時計の本来的な価値である高いデザイン性を損なうことなく、または、携帯時計の大型化若しくは重量化を抑制しながら、携帯時計の利便性を向上させる。【解決手段】文字板上で針が回転することにより時刻を表示する携帯時計は、文字板に離散的に配置される複数の多色発光素子２１と、携帯情報端末から複数の多色発光素子２１を発光させるデータを受信する通信部２３と、受信したデータに基づいて複数の多色発光素子２１の発光を制御する制御部２５と、を有する。通信部２３は、携帯情報端末において携帯情報端末の機能が取得した情報に基づいて生成された、複数の多色発光素子２１の各々の発光色を指定する発光データを受信する。制御部２５は、受信した発光データに基づいて、複数の多色発光素子２１を発光させる。【選択図】図３
2015152401.tif 000002
【特許請求の範囲】
【請求項１】
文字板上で針が回転することにより時刻を表示する携帯時計であって、
前記文字板に離散的に配置される複数の多色発光素子と、
携帯情報端末と通信し、前記携帯情報端末から前記複数の多色発光素子を発光させるデータを受信する通信部と、
前記通信部が受信したデータに基づいて前記複数の多色発光素子の発光を制御する制御部と、
を有し、
前記通信部は、前記携帯情報端末において前記携帯情報端末の機能が取得した情報に基づいて生成された、前記複数の多色発光素子の各々の発光色を指定する発光データを受信し、
前記制御部は、前記通信部が受信した発光データに基づいて、前記複数の多色発光素子を、各々について前記発光データで指定された発光色の組み合わせで発光させる、
携帯時計。
【請求項２】
複数の多色発光素子により表示させる情報を切り替えるために操作されるボタンを有し、
前記通信部は、前記ボタンが操作される度に前記携帯情報端末と通信し、前記携帯情報端末の複数の機能のうちから、前記ボタンの操作回数により切り替えて選択された機能の情報を表す発光データを受信する、
請求項１記載の携帯時計。
【請求項３】
前記文字板の一部に配置される表示デバイスを有し、
前記通信部は、前記発光データにより情報が表示される前記携帯情報端末の機能を表す表示データを受信し、
前記制御部は、前記発光データに基づいて前記複数の多色発光素子を発光させる際に、前記表示デバイスに前記携帯情報端末の機能を表す前記表示データを表示させる、
請求項２記載の携帯時計。
【請求項４】
前記文字板には、針が指し示す複数の時刻マークが設けられ、
前記複数の多色発光素子は、少なくとも前記複数の時刻マークと対応付けて設けられ、
前記通信部が受信する前記発光データは、前記携帯情報端末のスケジュール機能の情報に基づいて生成され、前記複数の時刻マークと対応付けられた複数の多色発光素子を、少なくとも時間帯毎のスケジュールの有無に応じて色分けして発光させるデータである、
請求項１記載の携帯時計。
【請求項５】
前記文字板には、針が指し示す複数の時刻マークが設けられ、
前記複数の多色発光素子は、少なくとも前記複数の時刻マークと対応付けて設けられ、
前記通信部が受信する前記発光データは、前記携帯情報端末の気象機能の情報に基づいて生成され、前記複数の時刻マークと対応付けられた複数の多色発光素子を、時間帯毎の気象情報の内容に応じて色分けして発光させるデータである、
請求項１記載の携帯時計。
【請求項６】
前記通信部が受信する前記発光データは、前記携帯情報端末の通信機能が新たに取得した情報に基づいて生成され、前記複数の多色発光素子を、新たに取得した情報に応じて色分けして発光させるデータである、
請求項１記載の携帯時計。
【発明の詳細な説明】
【技術分野】
【０００１】
本発明は、腕時計、懐中時計などの携帯可能な時計に関する。
【背景技術】
【０００２】
携帯可能な時計のうち、たとえば腕時計では、時計の本体に文字板の替わりにＬＥＤ表示装置を配置するものがある（特許文献１）。そして、この腕時計では、ＬＥＤ表示装置に、時刻だけでなく、腕時計で測定した体温を表示する。
【先行技術文献】
【特許文献】
【０００３】
【特許文献１】実開平０７−００８７９４号公報
【特許文献２】特開平０５−０４５４７５号公報
【発明の概要】
【発明が解決しようとする課題】
【０００４】
しかしながら、このように各種の情報を表示するための液晶デバイスを採用した腕時計では、腕時計の文字板の略全面が液晶画面となってしまい、腕時計としてのデザインの自由度が極端に制限されてしまう。その結果として、どのメーカの腕時計も同じようなデザインになってしまっている。また、腕時計を多機能化して各種の情報を表示するために、腕時計自体に、高性能のＣＰＵを組み込んだり各種のセンサを組み込んだりする必要があり、その結果として腕時計が大型化したり重量化したりしてしまう。腕時計を多機能化しようとすればするほど、その傾向が強くなる。
【０００５】
また、特許文献２は、アナログ型の時計の外周に配置されて点灯する複数の表示器と、予め定められた列車運行等の時刻に対応して表示器の表示を制御する表示制御手段と、を備える時刻表示装置を開示する。
しかしながら、特許文献２の構成を腕時計に適用することを考えた場合、特許文献１のように液晶デバイスに情報を表示する場合と比べて腕時計としてのデザインの自由度の制限を抑えることができるが、腕時計に、列車運行等の時刻を記憶させ、記憶する多数の中から表示する時刻を選択し、これに基づいて点灯する表示器を特定し、その上で複数の表示器の点灯を制御するため、やはり腕時計が大型化したり重量化したりしてしまう。腕時計を多機能化しようとすればするほど、その傾向が強くなることにも変わりがない。
【０００６】
このように腕時計などの携帯時計では、携帯時計の本来的な価値である高いデザイン性を損なうことなく、または、携帯時計の大型化若しくは重量化を抑制しながら、携帯時計の利便性を向上させること、が求められている。
【課題を解決するための手段】
【０００７】
本発明に係る携帯時計は、文字板上で針が回転することにより時刻を表示する携帯時計であって、前記文字板に離散的に配置される複数の多色発光素子と、携帯情報端末と通信し、前記携帯情報端末から前記複数の多色発光素子を発光させるデータを受信する通信部と、前記通信部が受信したデータに基づいて前記複数の多色発光素子の発光を制御する制御部と、を有し、前記通信部は、前記携帯情報端末において前記携帯情報端末の機能が取得した情報に基づいて生成された、前記複数の多色発光素子の各々の発光色を指定する発光データを受信し、前記制御部は、前記通信部が受信した発光データに基づいて、前記複数の多色発光素子を、各々について前記発光データで指定された発光色の組み合わせで発光させる。
【０００８】
好適には、複数の多色発光素子により表示させる情報を切り替えるために操作されるボタンを有し、前記通信部は、前記ボタンが操作される度に前記携帯情報端末と通信し、前記携帯情報端末の複数の機能のうちから、前記ボタンの操作回数により切り替えて選択された機能の情報を表す発光データを受信する、とよい。
【０００９】
好適には、前記文字板の一部に配置される表示デバイスを有し、前記通信部は、前記発光データにより情報が表示される前記携帯情報端末の機能を表す表示データを受信し、前記制御部は、前記発光データに基づいて前記複数の多色発光素子を発光させる際に、前記表示デバイスに前記携帯情報端末の機能を表す前記表示データを表示させる、とよい。
【００１０】
好適には、前記文字板には、針が指し示す複数の時刻マークが設けられ、前記複数の多色発光素子は、少なくとも前記複数の時刻マークと対応付けて設けられ、前記通信部が受信する前記発光データは、前記携帯情報端末のスケジュール機能の情報に基づいて生成され、前記複数の時刻マークと対応付けられた複数の多色発光素子を、少なくとも時間帯毎のスケジュールの有無に応じて色分けして発光させるデータである、とよい。
【００１１】
好適には、前記文字板には、針が指し示す複数の時刻マークが設けられ、前記複数の多色発光素子は、少なくとも前記複数の時刻マークと対応付けて設けられ、前記通信部が受信する前記発光データは、前記携帯情報端末の気象機能の情報に基づいて生成され、前記複数の時刻マークと対応付けられた複数の多色発光素子を、時間帯毎の気象情報の内容に応じて色分けして発光させるデータである、とよい。
【００１２】
好適には、前記通信部が受信する前記発光データは、前記携帯情報端末の通信機能が新たに取得した情報に基づいて生成され、前記複数の多色発光素子を、新たに取得した情報に応じて色分けして発光させるデータである、とよい。
【発明の効果】
【００１３】
本発明において、携帯時計は、携帯情報端末と通信し、携帯情報端末から受信したデータに基づいて文字板に設けられた複数の多色発光素子を発光させる。よって、携帯情報端末の機能と同様の機能を携帯時計自体に盛り込むことなく、携帯情報端末と連携して、携帯時計は、該機能に関する情報を複数の多色発光素子の発光色の組み合わせにより表示することができる。ユーザは文字板に表示された発光色の組み合わせから、携帯情報端末の機能が取得した情報の概要を認識できる。腕時計１に文字を表示した場合のように文字板に表示される文字を読み取る必要がない。
また、携帯時計は、携帯情報端末から、携帯情報端末の機能が取得した情報に基づいて携帯情報端末において生成された、複数の多色発光素子の各々の発光色を指定する発光データを受信し、これに基づいて、複数の多色発光素子を、各々について指定された発光色の組み合わせで発光させる。よって、携帯時計の制御部は、発光色を指定する発光データを用いて、複数の多色発光素子を各々について指定された色で発光させることができる程度の処理能力があればよい。携帯時計に組み込まれる制御部などには、能力が高くない小型で軽量のものを使用することができる。
その結果、本発明では、携帯時計自体の大型化若しくは重量化を抑制しながら、携帯時計に情報を表示する機能を持たせることができる。携帯時計の利便性を向上させることができる。また、複数の多色発光素子の発光色の組み合わせにより表示するため、携帯時計での情報の表示をテキスト主体にする場合と比べて、ユーザはアナログ時計と同様に直感的に表示された情報を理解できる。打ち合わせ中、移動中、急いでいる時などにおいても、瞬時に情報を把握することができる。また、携帯情報端末の画面を開いて確認しなくても情報を確認できるので、歩きながら携帯情報端末を操作することなく、歩きながら情報を取得できる。
また、本発明において、複数の多色発光素子は、文字板において離散的に配置される。よって、たとえば文字板の全面を液晶画面とした場合のように、または文字板に複数の発光素子を並べて配置した場合のように、携帯時計としてのデザインの自由度を制限してしまうことはない。その結果、携帯時計がその本来的な価値とする高いデザイン性を損なうことなく、携帯時計の利便性を向上させることができる。
【図面の簡単な説明】
【００１４】
【図１】図１は、本発明の実施形態に係る腕時計の要部概略正面図である。
【図２】図２は、図１の腕時計の模式的な断面図である。
【図３】図３は、図１の腕時計に内蔵される表示回路を示すブロック図である。
【図４】図４は、図１の腕時計と連携する携帯情報端末を示す説明図である。
【発明を実施するための形態】
【００１５】
以下、本発明の実施形態に係る腕時計を、図面を参照しながら説明する。
【００１６】
図１は、本発明の実施形態に係る腕時計１の要部概略正面図である。
図２は、図１の腕時計１の模式的な断面図である。
図１の腕時計１は、後述する携帯情報端末３１と連携して、携帯情報端末３１から取得した情報を表示可能な携帯時計の一例である。
図１の腕時計１は、時刻を表示する本体２と、本体２と一体化されるベルト３と、を有する。ベルト３を手首に巻きつけることにより、腕時計１は人体に装着される。
【００１７】
本体２は、略円板形状のケース１１、ケース１１の上面に形成された円形の凹部１２、凹部１２を覆う円形の透明なガラス板１３、ケース１１の外周面に設けられた複数のボタン１４およびリューズ１５、を有する。ガラス板１３で蓋をされた凹部１２内には、円形の文字板１６、文字板１６の上で回転する長針１７および短針１８、長針１７および短針１８を駆動する図示外の駆動機構、携帯情報端末３１と連携するための後述する表示回路１９、が配置される。
【００１８】
文字板１６は、円形の外形形状に形成された板である。文字板１６の中央には、長針１７および短針１８を駆動する駆動軸が挿入される貫通孔が形成される。文字板１６の上面には、長針１７または短針１８が指し示す複数の時刻マーク２０が印刷される。複数の時刻マーク２０は、円形の文字板１６の外縁に沿って、３６０度を１２等分した角度毎に配列される。なお、時刻マーク２０は、印刷ではなく、文字板１６に取り付けたたとえば宝飾素材で構成されてもよい。文字板１６上で長針１７および短針１８が回転して時刻マーク２０を指すことにより時刻を表示する。
また、文字板１６には、複数の多色発光素子２１と時計表示デバイス２２とが配置される。時計表示デバイス２２は、円形の文字板１６の下部中央に部分的に設けられる。時計表示デバイス２２を文字板１６の一部とすることにより、文字板１６のデザインを優先できる。文字板１６の表面には、腕時計１の作成イメージに応じたデザインを施すことができる。
ボタン１４は、複数の多色発光素子２１により表示させる情報を切り替えるために操作される。
【００１９】
多色発光素子２１は、たとえば赤色ＬＥＤ（Light Emitting Diode）、緑色ＬＥＤ、青色ＬＥＤを組み合わせて白色に発光可能な白色発光ダイオードでよい。このような白色発光ダイオードは、赤色ＬＥＤ、緑色ＬＥＤおよび青色ＬＥＤの通電量を調整することにより、多色に発光し得る。白色発光ダイオードは、たとえば数ミリメートルのサイズに形成し得るので、複数の時刻マーク２０の各々と対応付けて文字板１６に配置できる。この場合、複数の多色発光素子２１は、円形の文字板１６において、たとえば各時刻マーク２０と一対一に対応させて離散的に設けられる。図１の文字板１６では、２４個の多色発光素子２１が、１５度の間隔で円周状に配列されている。２４時間分の情報を表示し得る。
各多色発光素子２１は、たとえば各時刻マーク２０の外側に配置するとよい。これにより、時刻と対応する情報を、小さな腕時計１の文字板１６の全面を使って大きく表示できる。また、３６０度を１００％と見立てて、たとえば目標歩数に対する達成度の情報を表示できる。文字板１６上で、角度や方位などの情報を表示し得る。
なお、複数の多色発光素子２１は、複数の時刻マーク２０に対応付けたものに限られない。たとえば、複数の多色発光素子２１は、複数の同心の環状に離散的に配列されてよい。または、複数の多色発光素子２１は、文字板１６の一部において直線状に離散的に配列されてよい。複数の同心円状に配列された多色発光素子２１をたとえば内側から外側に向かって順番に点灯させることにより、流れるフラッシュライトを表示することができ、ユーザの注意を喚起することができる。
また、複数の多色発光素子２１を文字板１６において密に配列するのではなく離散的に配置することにより、文字板１６においてデザインを施すことができない部位が生じないようにできる。文字板１６のデザインの自由度を高めることができる。
【００２０】
時計表示デバイス２２は、たとえば多色で文字などを表示可能なものがよい。このような時計表示デバイス２２としては、フルカラーの液晶デバイス、有機ＥＬ（Electro Luminescence）デバイスなどがある。時計表示デバイス２２は、少なくとも文字板１６より小さくて文字板１６の一部に配置されるものであればよく、文字を表示可能な解像度のものが望ましいがこれに限られるものではない。腕時計１にこのような時計表示デバイス２２を設けることにより、複数の多色発光素子２１の発光パターンと対応づけて、たとえば携帯情報端末３１の機能名などの情報を同時に表示することができる。
【００２１】
図３は、図１の腕時計１に内蔵される表示回路１９を示すブロック図である。表示回路１９は、携帯情報端末３１と通信し、携帯情報端末３１から受信したデータに基づいて複数の多色発光素子２１および時計表示デバイス２２の表示を制御する。
腕時計１に内蔵される図３の表示回路１９は、複数の多色発光素子２１、時計表示デバイス２２、ボタン１４の他に、時計通信デバイス２３、時計マイクロコンピュータ２４、を有する。複数の多色発光素子２１、時計表示デバイス２２、ボタン１４、および時計通信デバイス２３は、時計マイクロコンピュータ２４に接続される。図３の表示回路１９は、図示外の腕時計１の電池により動作する。電池は、たとえば充電可能な二次電池でよい。また、腕時計１は、コイルを有し、このコイルにワイヤレスで励起される電圧で二次電池を充電できるようにしてよい。
【００２２】
時計通信デバイス２３は、携帯情報端末３１と通信する。時計通信デバイス２３は、たとえばＩＥＥＥ（The Institute of Electrical and Electronics Engineers, Inc.）８０２．１５．１といった近距離通信規格に対応した時計通信デバイス２３でよい。ＩＥＥＥ８０２．１５．１に規定される通信方式では、ペアリングされた複数の通信機器は、無線通信により双方向にデータを送受できる。ペアリングする相手先の通信機器は、１台に限られない。腕時計１の時計通信デバイス２３は、複数台の通信機器と同時にペアリングしてよい。本実施形態では、腕時計１の時計通信デバイス２３は、携帯情報端末３１へリクエストを送信し、携帯情報端末３１から、複数の多色発光素子２１の発光色を個別に指定する発光パターンデータと、時計表示デバイス２２に表示する表示データとを受信する。時計表示デバイス２２に表示する表示データは、たとえば該発光パターンデータの元となる情報を用いる携帯情報端末３１の機能、すなわち該発光パターンデータにより情報が表示される携帯情報端末３１のアプリケーションプログラムのプログラム名を表す表示データでよい。
【００２３】
時計マイクロコンピュータ２４は、ＣＰＵ（Central Processing Unit）、メモリを有する。
メモリには、腕時計１で使用するプログラムおよびデータを記憶する。メモリに記憶されるプログラムは、腕時計１の出荷前にメモリに記憶されたものでも、腕時計１の出荷後にメモリに記憶されたものであってもよい。出荷後にメモリに記憶されるプログラムは、たとえばＣＤ−ＲＯＭ（Compact Disk Read Only Memory）といったコンピュータ読み取り可能な記憶媒体に記憶されたものをインストールしたものであっても、インターネットといった伝送媒体を介してサーバ装置からダウンロードしてインストールしたものであってもよい。
ＣＰＵは、メモリに記憶されるプログラムを読み込んで実行する。これにより、時計マイクロコンピュータ２４には、表示回路１９を制御する時計制御部２５が実現される。この場合、メモリは、表示回路１９を制御するために用いるデータを記憶する時計記憶部２６として機能する。時計記憶部２６は、たとえば時計通信デバイス２３が受信した発光パターンデータおよび表示データを記憶する。
時計制御部２５は、時計通信デバイス２３による携帯情報端末３１との通信を制御する。ボタン１４が操作された場合、時計制御部２５は、時計通信デバイス２３からリクエストを送信する。時計通信デバイス２３が通信データを受信した場合、時計制御部２５は、受信した通信データを時計記憶部２６に記憶させる。
また、時計制御部２５は、複数の多色発光素子２１および時計表示デバイス２２の表示を制御する。時計記憶部２６に発光パターンデータが記憶された場合、時計制御部２５は、記憶された発光パターンデータに基づいて複数の多色発光素子２１の発光を制御する。時計制御部２５は、受信した発光パターンデータに基づいて、複数の多色発光素子２１を、各々について発光パターンデータで指定された発光色の組み合わせで発光させる。また、時計記憶部２６に表示データが記憶された場合、時計制御部２５は、記憶された表示データに基づいて時計表示デバイス２２にプログラム名を表示させる。時計制御部２５は、発光パターンデータに基づいて複数の多色発光素子２１を発光させる際に、時計表示デバイス２２に携帯情報端末３１の機能の機能名を表示させる。
【００２４】
このように、本実施形態の腕時計１に内蔵される表示回路１９は、基本的に通信機能および表示制御機能で構成され、最小限の素子で構成されている。これにより、後述するように腕時計１には各種の情報を多機能に表示させつつ、表示回路１９のコストアップおよび大型化を抑制し、腕時計１のデザインに対する制約を極力抑えている。従来の腕時計１では、情報を表示するために情報毎に専用のセンサおよび回路を設ける必要があり、その結果として、腕時計１のサイズが大型化したり、重量がかさんだりしている。なお、図３の表示回路１９と異なり、腕時計１のデザイン上許容されるのであれば、表示回路１９に、たとえば脈拍を計測するパルスセンサ、腕時計１の加速度を検出する加速度センサといった素子を追加してよい。この場合、腕時計１は、携帯情報端末３１から取得した情報を表示できるとともに、腕時計１で取得した情報についても表示することができる。
【００２５】
図４は、図１の腕時計１と連携する携帯情報端末３１を示す説明図である。腕時計１と携帯情報端末３１とにより、連携システムが構成される。
携帯情報端末３１は、たとえばスマートフォン端末、携帯電話端末、ＰＤＡ（Personal Data Assistance）装置などである。これらの携帯情報端末３１は、たとえば内蔵センサで情報を検出したり、インターネットなどの通信網から情報を取得したりする。
図４の携帯情報端末３１は、端末通信デバイス３２、ネットワーク通信デバイス３３、端末表示デバイス３４、端末入力デバイス３５、端末センサデバイス３６、端末マイクロコンピュータ３７、を有する。端末通信デバイス３２、ネットワーク通信デバイス３３、端末入力デバイス３５、端末表示デバイス３４、および端末センサデバイス３６は、端末マイクロコンピュータ３７に接続される。
【００２６】
端末通信デバイス３２は、腕時計１の時計通信デバイス２３と通信可能なものであればよい。たとえば、腕時計１の時計通信デバイス２３と同じ規格に対応した通信デバイスでよい。
ネットワーク通信デバイス３３は、たとえば移動体通信の基地局またはアクセスポイントと通信するデバイスである。ネットワーク通信デバイス３３は、移動体通信事業者が設置した基地局が採用する通信方式に対応した通信デバイスでよい。または、アクセスポイントの通信方式に対応した通信デバイスでよい。このような通信規格としては、たとえばＩＥＥＥ８０２．１１として規格化された無線通信規格がある。なお、端末通信デバイス３２とネットワーク通信デバイス３３とは、１つの通信デバイスとして携帯情報端末３１に設けられてよい。
端末表示デバイス３４は、たとえば液晶デバイス、有機ＥＬデバイスである。端末表示デバイス３４はたとえば３〜７インチ程度の画面サイズを有する。端末表示デバイス３４は、携帯情報端末３１の機能に基づいて各種の情報を表示する。
端末入力デバイス３５は、たとえば端末表示デバイス３４と重ねて配置される透明なタッチパネルである。タッチパネルは、端末表示デバイス３４に表示した表示画面に対するユーザの操作位置を検出する。
端末センサデバイス３６は、たとえばＧＰＳ（Global Positioning System）電波受信デバイス、地磁気検出デバイス、加速度センサデバイスである。ＧＰＳ電波受信デバイスは、ＧＰＳ衛星から送信されるＧＰＳ電波を受信し、携帯情報端末３１の位置情報を生成する。地磁気検出デバイスは、地球の地磁気を検出し、磁北を示す方向情報を生成する。加速度センサデバイスは、携帯情報端末３１の移動に伴う加速度を検出し、携帯情報端末３１の加速度情報を生成する。また、ネットワーク通信デバイス３３は、通信相手の基地局の位置情報を取得できるので、携帯情報端末３１の位置情報を生成する端末センサデバイス３６としても利用可能である。
【００２７】
端末マイクロコンピュータ３７は、ＣＰＵ、メモリを有する。携帯情報端末３１のメモリは、携帯情報端末３１のオペレーティングシステムプログラムおよびアプリケーションプログラムを記憶する。アプリケーションプログラムは、携帯情報端末３１に機能を追加する際に、携帯情報端末３１にダウンロードされる。アプリケーションプログラムには、たとえばスケジューラプログラム、メーラプログラム、ＳＮＳ（ソーシャルネットワーキングサービス）プログラム、気象プログラムがある。ＣＰＵは、メモリに記憶される各種のプログラムを実行する。これにより、端末マイクロコンピュータ３７には、端末制御部３８および端末記憶部３９が実現され、携帯情報端末３１に各種の機能が実現される。端末記憶部３９には、アプリケーションプログラムが使用するアプリケーションデータが記憶される。
【００２８】
たとえば、ＣＰＵがスケジューラプログラムを実行することにより、携帯情報端末３１の機能としてスケジューラ４１が実現される。スケジューラ４１は、ユーザのスケジュールを管理する。具体的にはたとえば、スケジューラ４１は、ネットワーク通信デバイス３３を用いて自動受信したユーザのスケジュールデータを端末記憶部３９に記憶させる。スケジューラ４１は、端末入力デバイス３５から入力されたスケジュールデータを端末記憶部３９に記憶させる。スケジューラ４１は、端末記憶部３９に記憶されているスケジュールデータを端末表示デバイス３４に表示させる。スケジュールデータは、たとえばスケジュールの日時、場所、内容などの情報を有する。
【００２９】
ＣＰＵがメーラプログラムを実行することにより、携帯情報端末３１の機能としてメーラ４２が実現される。メーラ４２は、ユーザの電子メール、ＳＭＳ（Short Message Service）のメッセージなどを管理する。具体的にはたとえば、メーラ４２は、ネットワーク通信デバイス３３を用いて自動受信したユーザの電子メールデータまたはメッセージデータを端末記憶部３９に記憶させる。メーラ４２は、端末記憶部３９に記憶されている電子メールデータまたはメッセージデータを端末表示デバイス３４に表示させる。メーラ４２は、端末入力デバイス３５から入力された電子メールデータまたはメッセージデータをネットワーク通信デバイス３３に送信させる。電子メールデータは、たとえば送信元、送信先、送受信日時、タイトル、本文などの情報を有する。
【００３０】
ＣＰＵがＳＮＳプログラムを実行することにより、携帯情報端末３１の機能としてＳＮＳ部４３が実現される。ＳＮＳ部４３は、ユーザに関連する投稿などのメッセージを管理する。具体的にはたとえば、ＳＮＳ部４３は、ネットワーク通信デバイス３３を用いて自動受信したメッセージデータを端末記憶部３９に記憶させる。ＳＮＳ部４３は、端末記憶部３９に記憶されているメッセージデータを端末表示デバイス３４に表示させる。ＳＮＳ部４３は、端末入力デバイス３５から入力されたメッセージデータをネットワーク通信デバイス３３に送信させる。メッセージデータは、たとえばメッセージ本文、送信者などの情報を有する。
【００３１】
ＣＰＵが気象プログラムを実行することにより、携帯情報端末３１の機能として気象通知部４４が実現される。気象通知部４４は、携帯情報端末３１の所在地の気象データを、ネットワーク通信デバイス３３を用いて自動受信し、端末記憶部３９に記憶させる。気象通知部４４は、端末記憶部３９に記憶されている気象データを端末表示デバイス３４に表示させる。気象データは、天候、気温、注意報などの情報を有する。
【００３２】
また、本実施形態の携帯情報端末３１では、端末時計記憶部２６に、腕時計１と連携するための連携プログラムが記憶される。ＣＰＵが連携プログラムを実行することにより、携帯情報端末３１に、その一つの機能として腕時計１との連携部４５が実現される。連携部４５は、携帯情報端末３１に記憶されている各機能のデータから、該機能について予め設定された生成条件に基づいて、腕時計１の複数の多色発光素子２１の発光色を規定する発光パターンデータを生成する。また、多色発光素子２１の発光色には、無発光の消灯を含めてよい。なお、生成条件は、ユーザにより設定可能である。連携部４５は、生成した発光パターンデータとともに、その生成に用いた情報を利用する携帯情報端末３１のアプリケーションプログラムのプログラム名（機能名）を表示する表示データを、端末通信デバイス３２から腕時計１へ送信する。
また、連携部４５は、腕時計１からリクエストを受信した場合に表示する情報のリストをユーザの操作に基づいて生成し、端末記憶部３９に記憶させる。このリストには、腕時計１に表示させる複数の情報レコードが所定の順番で登録される。リストには、たとえばスケジューラ４１、メーラ４２、ＳＮＳ部４３、気象通知部４４が、その順番で登録される。情報レコードには、たとえば端末記憶部３９での情報元の位置（データ名）などを有する。連携部４５は、リクエストを受信する度に、リストから選択する情報レコードを切り替える。連携部４５は、受信したリクエストの個数に対応する情報レコードを選択する。連携部４５は、選択した情報レコードに基づいて端末記憶部３９からアプリケーションデータを取得し、取得したアプリケーションデータの情報に基づいて発光パターンデータを生成する。連携部４５は、生成した発光パターンデータおよびプログラム名の表示データを、端末通信デバイス３２から腕時計１へ送信する。
【００３３】
次に、本実施形態の腕時計１と携帯情報端末３１との連携動作について説明する。
ここでは、まず、腕時計１と携帯情報端末３１との基本的な連携動作である、携帯情報端末３１が腕時計１へ自動的に情報を送信するプッシュ連携動作と、腕時計１からのリクエストに応じて携帯情報端末３１が腕時計１へ情報を送信するゲット連携動作と、について説明する。
【００３４】
プッシュ連携動作は、たとえば連携部４５において自動送信時刻が設定されている場合、スケジューラ４１、メーラ４２、ＳＮＳ部４３、気象通知部４４などが所定の新たなデータを取得した場合などにおいて、適宜実行される。
携帯情報端末３１において、連携部４５は、自動送信時刻になると、または携帯情報端末３１の機能が所定の新たなデータを取得すると、プッシュ連携動作を開始する。連携部４５は、対象となるデータを端末記憶部３９から取得し、取得したデータの情報に基づいて、その情報の内容に応じた発光パターンデータを生成する。
次に、連携部４５は、生成した発光パターンデータと、使用したデータを取得した機能の機能名を表示する表示データとを、腕時計１へ送信する。これらのデータは、端末通信デバイス３２から時計通信デバイス２３へ送信され、時計記憶部２６に記憶される。
時計制御部２５は、時計記憶部２６に記憶された発光パターンデータを用いて、複数の多色発光素子２１を発光させる。複数の多色発光素子２１は、発光パターンデータにおいて各々について指定された発光色の組み合わせで発光する。この際、時計制御部２５は、時計記憶部２６に記憶された表示データの内容を時計表示デバイス２２に表示させる。
これにより、腕時計１の文字板１６では、時計表示デバイス２２において、発光パターンデータに基づいて複数の多色発光素子２１を発光させた携帯情報端末３１の機能名が表示される。また、複数の多色発光素子２１は、その機能が取得した情報の内容に応じた多色パターンで発光する。ユーザは、これらの表示に基づいて、予め自動送信時刻において設定した機能の情報の内容を把握できる。
【００３５】
ゲット連携動作は、腕時計１においてたとえばボタン１４が操作された場合などにおいて、適宜実行される。
腕時計１において、ボタン１４が操作されると、時計制御部２５は、発光パターンのリクエストを携帯情報端末３１へ送信する。発光パターンのリクエストは、時計通信デバイス２３から端末通信デバイス３２へ送信され、端末記憶部３９に記憶される。
端末記憶部３９にリクエストが記憶されると、連携部４５は、端末記憶部３９から、リスト中の前回使用したレコードの次のレコードを読込む。一度も使用していない場合には、リストの最初のレコードを読込む。連携部４５は、読込んだレコードにより指定される機能の情報を端末記憶部３９から取得し、取得したデータの情報に基づいて、その情報の内容に応じた発光パターンデータを生成する。
次に、連携部４５は、生成した発光パターンデータと、使用したデータを取得した機能の機能名を表示する表示データとを、腕時計１へ送信する。これらのデータは、端末通信デバイス３２から時計通信デバイス２３へ送信され、時計記憶部２６に記憶される。
時計制御部２５は、時計記憶部２６に記憶された発光パターンデータを用いて、複数の多色発光素子２１を発光させる。時計制御部２５は、時計記憶部２６に記憶された表示データの内容を時計表示デバイス２２に表示される。
これにより、腕時計１の文字板１６では、時計表示デバイス２２において、複数の多色発光素子２１を発光させた携帯情報端末３１の機能名が表示される。また、複数の多色発光素子２１は、その機能が取得した情報の内容に応じた多色パターンで発光する。ユーザは、これらの表示に基づいて、予め携帯情報端末３１のリストに登録した機能についての最新の情報の内容を把握できる。
また、ユーザは、ボタン１４を複数回操作することにより、リストに基づいて選択された携帯情報端末３１の複数の機能についての最新の情報の内容を把握できる。ユーザは、携帯情報端末３１を取り出したり、携帯情報端末３１を操作して複数の機能を実行させたりすることなく、身に着けた腕時計１のボタン１４を手元で操作するだけで容易に、携帯情報端末３１の複数の機能についての最新の情報を把握することができる。携帯情報端末３１での最新の情報の取得状況などを容易に把握できる。
【００３６】
なお、ここではボタン１４の操作に基づいて、連携部４５は、表示する機能をリストから選択している。この他にもたとえば、連携部４５は、ボタン１４の操作に基づいて、予めそのボタンに対応付けられた機能を表示する機能として選択してよい。
【００３７】
次に、携帯情報端末３１の各機能の情報を、プッシュ連携動作およびゲット連携動作を用いて腕時計１に表示する動作について、機能別に説明する。
【００３８】
連携部４５は、スケジューラ４１について、たとえば自動送信時刻を設定する。そして、連携部４５は、設定された時刻に、たとえばその日のスケジュールの有無を時刻単位で表示する発光パターンデータを生成して腕時計１へ送信する。これにより、腕時計１において複数の多色発光素子２１は、その日のスケジュールに応じたパターンで発光する。複数の時刻マーク２０と対応付けられた複数の多色発光素子２１は、少なくとも時間帯毎のスケジュールの有無に応じて色分けして発光される。
また、連携部４５は、スケジューラ４１がネットワークから新たなスケジュールデータを受信した場合、新たなスケジュールデータが取得されたことを示す発光パターンデータを生成して腕時計１へ送信する。これにより、腕時計１において複数の多色発光素子２１は、スケジューラ４１が新たなスケジュールデータを取得したことを通知するパターンで発光する。
また、連携部４５は、登録されたスケジュールの時刻になったら、スケジュール時刻になったことを示す発光パターンデータを生成して腕時計１へ送信する。これにより、腕時計１において複数の多色発光素子２１は、予定時刻となったスケジュールに応じたパターンで発光する。なお、連携部４５は、スケジュールデータの時刻より所定時間前の時間に発光パターンデータを生成してもよい。
【００３９】
連携部４５は、メーラ４２がネットワークから新たな電子メールデータなどを取得した場合、新たな電子メールデータが取得されたことを示す発光パターンデータを生成して腕時計１へ送信する。これにより、腕時計１において複数の多色発光素子２１は、メーラ４２が新たな電子メールデータを取得したことを通知するパターンで発光する。複数の多色発光素子２１は、新たに取得した情報に応じて色分けして発光される。
また、連携部４５は、メーラ４２について、たとえば自動送信時刻を設定する。そして、連携部４５は、設定された時刻に、たとえばそれまでに新たに取得した電子メールデータの有無を表示する発光パターンデータを生成して腕時計１へ送信する。これにより、腕時計１において複数の多色発光素子２１は、自動送信時刻までに新たに取得された電子メールデータの有無に応じたパターンで発光する。
【００４０】
連携部４５は、ＳＮＳ部４３がネットワークから新たなメッセージデータを取得した場合、新たなメッセージデータが取得されたことを示す発光パターンデータを生成して腕時計１へ送信する。これにより、腕時計１において複数の多色発光素子２１は、ＳＮＳ部４３が新たなメッセージデータを取得したことを通知するパターンで発光する。複数の多色発光素子２１は、新たに取得した情報に応じて色分けして発光される。
また、連携部４５は、ＳＮＳ部４３について、たとえば自動送信時刻を設定する。そして、連携部４５は、設定された時刻に、たとえばそれまでに新たに取得したメッセージデータの有無を表示する発光パターンデータを生成して腕時計１へ送信する。これにより、腕時計１において複数の多色発光素子２１は、自動送信時刻までに新たに取得されたメッセージデータの有無に応じたパターンで発光する。
【００４１】
連携部４５は、気象通知部４４については、たとえば自動送信時刻を設定する。そして、連携部４５は、設定された時刻に、たとえばその日の天候を時刻単位で表示する発光パターンデータを生成して腕時計１へ送信する。これにより、腕時計１において複数の多色発光素子２１は、その日の天候の予報に応じたパターンで発光する。複数の時刻マーク２０と対応付けられた複数の多色発光素子２１は、時間帯毎の気象情報の内容に応じて色分けして発光される。
また、連携部４５は、気象通知部４４がネットワークから新たな気象データを受信した場合、新たな気象データが取得されたことを示す発光パターンデータを生成して腕時計１へ送信する。これにより、腕時計１において複数の多色発光素子２１は、気象通知部４４が新たな気象データを取得したことを通知するパターンで発光する。
【００４２】
また、連携部４５は、それが管理するリストに、スケジューラ４１、メーラ４２、ＳＮＳ部４３、気象通知部４４がその順番で登録されている場合において、腕時計１のボタン１４の最初の操作に基づいて腕時計１から最初に送信されたリクエストを取得したとき、スケジューラ４１を選択する。そして、連携部４５は、たとえば操作時刻より後のその日のスケジュールの有無を時刻単位で表示する発光パターンデータを生成して腕時計１へ送信する。これにより、腕時計１において複数の多色発光素子２１は、その日の残りのスケジュールの有無を時刻単位で表示するパターンで発光する。
腕時計１のボタン１４の二回目の操作に基づいて腕時計１から二番目に送信されたリクエストを取得したとき、連携部４５は、メーラ４２を選択する。そして、連携部４５は、たとえば操作時刻までに新たに取得した電子メールデータの有無に応じた発光パターンデータを生成して腕時計１へ送信する。これにより、腕時計１において複数の多色発光素子２１は、新たに取得した電子メールデータの有無に応じたパターンで発光する。
腕時計１のボタン１４の三回目の操作に基づいて腕時計１から三番目に送信されたリクエストを取得したとき、連携部４５は、ＳＮＳ部４３を選択する。そして、連携部４５は、たとえば操作時刻までに新たに取得したメッセージデータの有無に応じた発光パターンデータを生成して腕時計１へ送信する。これにより、腕時計１において複数の多色発光素子２１は、新たに取得したメッセージデータの有無に応じたパターンで発光する。
腕時計１のボタン１４の四回目の操作に基づいて腕時計１から四番目に送信されたリクエストを取得したとき、連携部４５は、気象通知部４４を選択する。そして、連携部４５は、たとえば最新の気象データを時刻単位で表示する発光パターンデータを生成して腕時計１へ送信する。これにより、腕時計１において複数の多色発光素子２１は、最新の気象データを時刻単位で表示するパターンで発光する。
このように、時計通信デバイス２３は、ボタン１４が操作される度に携帯情報端末３１へリクエストを送信し、それに応じて、携帯情報端末３１の複数の機能について予め設定された順番で切り替えることにより選択された機能の情報を表す発光パターンデータを受信する。
【００４３】
このように、腕時計１の複数の多色発光素子２１は、携帯情報端末３１の機能の情報の有無または内容に応じたパターンで発光する。ユーザは、腕時計１の文字板１６に表示されたプログラム名および発光パターンから、腕時計１の文字板１６を一瞥するだけで、携帯情報端末３１での情報の取得状況または内容を容易に把握できる。
なお、これら携帯情報端末３１の複数の機能に基づいて、腕時計１の複数の多色発光素子２１を発光させる場合、その発光パターンは、好ましくは相互に異なるのがよい。ただし、たとえば電子メール受信の有無とメッセージ受信の有無のように共通の性質を有する情報については、同じ発光パターンを使用してもよい。また、この発光パターンデータは、携帯情報端末３１においてユーザにより個別に設定可能とするとよい。これにより、ユーザは、自らした設定に基づいて、発光パターンと機能との対応、ひいては発光パターンと情報の内容との対応関係について容易に把握することができる。また、各人が個別に発光パターンの生成条件を設定することにより、他人が発光パターンを見たとしても、情報の内容を理解できないようになる。発光パターンにより腕時計１に表示される情報について、秘匿性を持たせることができる。
また、各情報の内容に対応する発光パターンは、単に複数の多色発光素子２１を個別に指定された色で一定時間で発光させる１つの発光パターンに限られない。複数の多色発光素子２１に複数の発光パターンを連続的に切り替えて表示させてもよい。これにより、たとえば輝点を複数の多色発光素子２１の間で移動させたり、複数の多色発光素子２１を点滅させたりできる。点滅は部分的でもよい。複数の発光パターンの組み合わせにより、フラッシュ発光させてもよい。１つの情報の内容に対して複数の発光パターンを対応させることにより、少ない数の多色発光素子２１においてより多くの情報を表示することができる。
【００４４】
以上のように、本実施形態において、腕時計１は、携帯情報端末３１と通信し、携帯情報端末３１から受信したデータに基づいて文字板１６に設けられた複数の多色発光素子２１を発光させる。よって、携帯情報端末３１の機能と同様の機能を携帯時計自体に盛り込むことなく、携帯情報端末３１と連携して、腕時計１は、該機能に関する情報を複数の多色発光素子２１の発光色の組み合わせにより表示することができる。ユーザは文字板１６に表示された発光色の組み合わせから、携帯情報端末３１の機能が取得した情報の概要を認識できる。腕時計１に文字を表示した場合のように文字板１６に表示される文字を読み取る必要がない。
また、腕時計１は、携帯情報端末３１から、携帯情報端末３１の機能が取得した情報に基づいて携帯情報端末３１において生成された、複数の多色発光素子２１の各々の発光色を個別に指定する発光パターンデータを受信し、これに基づいて、複数の多色発光素子２１を、各々について指定された発光色の組み合わせで発光させる。よって、腕時計１の時計制御部２５は、発光色を指定する発光パターンデータを用いて、複数の多色発光素子２１を各々について指定された色で発光させることができる程度の処理能力があればよい。腕時計１に組み込まれる時計制御部２５などには、能力が高くない小型で軽量のものを使用することができる。
その結果、本実施形態では、腕時計１自体の大型化若しくは重量化を抑制しながら、腕時計１に情報を表示する機能を持たせることができる。腕時計１の利便性を向上させることができる。また、複数の多色発光素子２１の発光色の組み合わせにより表示するため、腕時計１での情報の表示をテキスト主体にする場合と比べて、ユーザはアナログ時計と同様に直感的に表示された情報を理解できる。打ち合わせ中、移動中、急いでいる時などにおいても、瞬時に情報を把握することができる。また、携帯情報端末３１の画面を開いて確認しなくても情報を確認できるので、歩きながら携帯情報端末３１を操作することなく、歩きながら情報を確認できる。
また、本実施形態において、複数の多色発光素子２１は、文字板１６において離散的に配置される。よって、仮にたとえば文字板１６の全面を液晶画面とした場合のように、または仮にたとえば文字板１６に複数の発光素子を密に並べて配置した場合のように、腕時計１の文字板１６のデザインの自由度を制限してしまうことはない。その結果、腕時計１がその本来的な価値として有する高いデザイン性を損なうことなく、腕時計１の利便性を向上させることができる。
【００４５】
また、本実施形態では、腕時計１は、複数の多色発光素子２１により表示させる情報を切り替えるために操作されるボタン１４を有し、時計通信デバイス２３は、ボタン１４が操作される度に携帯情報端末３１と通信し、携帯情報端末３１の複数の機能のうちから、ボタン１４の操作回数により切り替えて選択された機能の情報を表す発光パターンデータを受信する。よって、腕時計１には、複数の機能の情報を表示できる。複数の情報は、たとえばボタン１４の操作回数により切り替えられるため、ユーザは各情報がいずれの機能と対応するものであるかを容易に把握することができる。そして、このように腕時計１を多機能化しているにもかかわらず、腕時計１に必要とされる能力を増やさないので、腕時計１の大型化および重量化させることなく腕時計１を多機能化できる。
【００４６】
また、本実施形態では、腕時計１は、文字板１６の一部に配置される表示デバイスを有し、時計通信デバイス２３は、発光パターンデータにより情報が表示される携帯情報端末３１の機能を表す表示データを受信し、時計制御部２５は、発光パターンデータに基づいて複数の多色発光素子２１を発光させる際に、時計表示デバイス２２に携帯情報端末３１の機能を表す表示データを表示させる。よって、文字板１６の一部に配置された時計表示デバイス２２に、複数の多色発光素子２１を発光させる発光パターンデータの情報元となる携帯情報端末３１の機能を示す表示データを表示できる。その結果、携帯情報端末３１の複数の機能について予め設定された順番を失念していたとしても、ユーザは、時計表示デバイス２２の表示に基づいて複数の多色発光素子２１で表示している機能を把握することができる。
【００４７】
また、本実施形態では、文字板１６には、針が指し示す複数の時刻マーク２０が設けられ、複数の多色発光素子２１は、少なくとも複数の時刻マーク２０と対応付けて設けられ、時計通信デバイス２３が受信する発光パターンデータは、携帯情報端末３１のスケジュール機能の情報に基づいて生成され、複数の時刻マーク２０と対応付けられた複数の多色発光素子２１を、少なくとも時間帯毎のスケジュールの有無に応じて色分けして発光させるデータである。よって、腕時計１の文字板１６に設けられる複数の時刻マーク２０を好適に利用して、それに対応する複数の多色発光素子２１を、少なくとも時間帯毎のスケジュールの有無に応じて色分けして発光させる。これにより、ユーザは、腕時計１において、たとえば当日のスケジュールの有無を時間帯別に把握できる。
【００４８】
また、本実施形態では、文字板１６には、針が指し示す複数の時刻マーク２０が設けられ、複数の多色発光素子２１は、少なくとも複数の時刻マーク２０と対応付けて設けられ、時計通信デバイス２３が受信する発光パターンデータは、携帯情報端末３１の気象通知部４４の情報に基づいて生成され、複数の時刻マーク２０と対応付けられた複数の多色発光素子２１を、時間帯毎の気象情報の内容に応じて色分けして発光させるデータである。よって、腕時計１の文字板１６に設けられる複数の時刻マーク２０を好適に利用して、それに対応する複数の多色発光素子２１を、時間帯毎の気象情報の内容に応じて色分けして発光させる。これにより、ユーザは、腕時計１において、たとえば一日の気象情報を時間帯別に把握できる。
【００４９】
また、本実施形態では、時計通信デバイス２３が受信する発光パターンデータは、携帯情報端末３１の通信機能が新たに取得した情報に基づいて生成され、複数の多色発光素子２１を、新たに取得した情報に応じて色分けして発光させるデータである。よって、携帯情報端末３１の通信機能が新たに情報を取得した場合に、文字板１６に設けられた複数の多色発光素子２１が、新たに取得した情報に応じて発光する。これにより、ユーザは、腕時計１において、新たな情報を取得したことを把握できる。また、発光する色により、新たに取得した情報の概要についても把握することも可能である。
【００５０】
以上の実施形態は、本発明の好適な実施形態の例であるが、本発明は、これに限定されるものではなく、発明の要旨を逸脱しない範囲において種々の変形または変更が可能である。
【００５１】
たとえば上記実施形態では、携帯時計の一例としての腕時計１は、１つの携帯情報端末３１と連携し、この１つの携帯情報端末３１の複数の機能の情報に基づいて複数の多色発光素子２１を発光させている。
この他にもたとえば、携帯時計は、複数の携帯情報端末３１と連携し、この複数の携帯情報端末３１による複数の機能の情報に基づいて複数の多色発光素子２１を発光させてよい。
【００５２】
上記実施形態では、１つの発光パターンデータは、携帯情報端末３１の１つの機能の情報に基づいて生成される。
この他にもたとえば、１つの発光パターンデータは、携帯情報端末３１の複数の機能の情報に基づいて生成されてよい。たとえば携帯情報端末３１においてプライベート用のスケジューラと仕事用のスケジューラとが混在して機能する場合、これら複数の機能の情報の内容に基づいて、１日の予定を時間帯別に示す１つの発光パターンデータを生成してよい。この際、多色発光素子２１の発光色は、機能毎に使い分けてよい。
【００５３】
上記実施形態では、時計表示デバイス２２には、携帯情報端末３１の機能名が表示される。
この他にもたとえば、時計表示デバイス２２には、現在選択されている携帯情報端末３１の機能の情報の内容を表示するようにしてもよい。たとえば、時計表示デバイス２２には、携帯情報端末３１のアプリケーションから受け取った情報（例えば、現在の天気、気温、今実行中のスケジュールタスク、ＳＮＳのメッセージなど）を、テキストのスクロール表示により表示してよい。
【００５４】
上記実施形態では、アナログ式の腕時計１に複数の多色発光素子２１を設け、この複数の多色発光素子２１に連携する携帯情報端末３１の機能の情報を表示させている。
この他にもたとえば、文字板１６に配置された時計表示デバイス２２に時刻を表示するデジタル式の腕時計に複数の多色発光素子２１を設け、この複数の多色発光素子２１に連携する携帯情報端末３１の機能の情報を表示させてもよい。
【００５５】
上記実施形態では、腕時計１は、携帯情報端末３１と連携し、携帯情報端末３１から受信したデータに基づいて表示を制御している。
この他にもたとえば、腕時計１に各種のセンサを設け、そのセンサで検出した情報を腕時計１に表示してよい。このようなセンサとしては、たとえば脈拍を検出するセンサ、体温を検出するセンサ、ストレスの程度を検出するセンサなどがある。この場合であっても、腕時計１に表示する機能の情報の少なくとも一部は携帯情報端末３１から取得できるため、腕時計１にそのすべての機能に対応する素子を実装させなくてよい。
【００５６】
上記実施形態では、腕時計１は、携帯情報端末３１のスケジュール機能、通信機能、気象機能と連携してそれらの情報を表示している。
腕時計１が携帯情報端末３１と連携して表示可能な機能は、これに限られない。
この他にもたとえば、腕時計１は、携帯情報端末３１と連携して、乗換案内、目的地の方向、電話着信などの情報を表示してよい。
【符号の説明】
【００５７】
１  腕時計（携帯時計）、２  本体、３  ベルト、１１  ケース、１２  凹部、１３  ガラス板、１４  ボタン、１５  リューズ、１６  文字板、１７  長針、１８  短針、１９  表示回路、２０  時刻マーク、２１  多色発光素子、２２  時計表示デバイス（表示デバイス）、２３  時計通信デバイス（通信部）、２４  時計マイクロコンピュータ、２５  時計制御部（制御部）、２６  時計記憶部、３１  携帯情報端末、３２  端末通信デバイス、３３  ネットワーク通信デバイス、３４  端末表示デバイス、３５  端末入力デバイス、３６  端末センサデバイス、３７  端末マイクロコンピュータ、３８  端末制御部、３９  端末記憶部、４１  スケジューラ（スケジュール機能）、４２  メーラ（通信機能）、４３  ＳＮＳ部（通信機能）、４４  気象通知部（気象機能）、４５  連携部
【図１】
2015152401.tif 000003
【図２】
2015152401.tif 000004
【図３】
2015152401.tif 000005
【図４】
2015152401.tif 000006